(57)【特許請求の範囲】
【請求項１】
ガス通路内を通過するガス流量に対応して流量信号を出力する流量検出部と、
前記流量検出部の前記流量信号を受け取ると流量を算出する流量算出部と、
前記流量算出部の前記流量を受け取ると前記流量の値または前記流量を積算した値を表示する流量値表示部と、
前記流量算出部の前記流量を受け取ると所定の期間の前記流量を平均して予め保存されている平均流量判定値を超えていれば流量表示要求を出力し、前記平均流量判定値を超えていなければ前記流量表示要求の出力を停止する平均流量判定部と、
前記平均流量判定値以上に設定された連続流量有判定値と、
前記平均流量判定値以下に設定された連続流量無判定値と、
前記流量算出部の前記流量を受け取ると前記流量が前記連続流量有判定値を連続して複数回超えていれば前記流量表示要求を出力し、前記流量が前記連続流量無判定値を連続して複数回下回っていれば前記流量表示要求の出力を停止する瞬時流量判定部と、
前記平均流量判定部または前記瞬時流量判定部の前記流量表示要求の出力有無に基づき流量有無表示を行う流量有無表示部とを備え、
前記瞬時流量判定部が前記流量を連続判定することで前記平均流量判定部が前記流量表示要求の出力有無を判定する前に前記流量表示要求の出力有無を判断することで前記流量の変化の追従性を向上させることを特徴としたガス遮断装置。
【請求項２】
流量算出部の流量を受け取ると予め保持している異常流量パターンと比較し、前記流量が異常なガスの使われ方であると判断した場合には弁閉信号を出力する異常流量判定部と、前記異常流量判定部の前記弁閉信号を受け取ると弁駆動信号を出力する弁駆動部と、前記弁駆動部の前記弁駆動信号を受け取るとガス通路を閉栓する弁と、前記異常流量判定部の前記弁閉信号を受け取ると無条件に流量表示要求の出力を停止し、前記流量算出部の前記流量を受け取ると前記流量が予め保持している連続流量有判定値を連続して複数回超えていれば前記流量表示要求を出力し、前記流量が予め保持している連続流量無判定値を連続して複数回下回っていれば前記流量表示要求の出力を停止する瞬時流量判定部とを備え、前記弁によりガス通路が閉栓されると直ぐに流量有無表示を即時に消灯することを特徴とした請求項１記載のガス遮断装置。
【発明の詳細な説明】
【技術分野】
【０００１】
本発明はガス遮断装置において、ガスが流れているか流れていないかの表示、つまり流量有無表示に関して、特に表示の追従性を向上させたガス遮断装置に関するものである。
【背景技術】
【０００２】
従来、この種のガス遮断装置としては、図２に示すようなものがあった（例えば特許文献１参照）。つまり、ガス通路内を通過するガス流量に対応して流量信号ａを出力する流量検出部１と、前記流量検出部１の前記流量信号ａを受け取る受け取ると流量ｂを算出する流量算出部２と、前記流量算出部２の前記流量ｂを受け取ると前記流量ｂの値または前記流量ｂを積算した値を表示する流量値表示部３と、前記流量算出部２の前記流量ｂを受け取ると、所定の期間の前記流量を平均して予め保存されている平均流量判定値を超えていれば流量表示要求ｃを出力し、前記平均流量判定値を超えていなければ前記流量表示要求ｃの出力を停止する平均流量判定部４と、前記平均流量判定部４の前記流量表示要求ｃの出力有無に基づき流量有無表示を行う流量有無表示部５と、前記流量算出部２の前記流量ｂを受け取ると予め保持している異常流量パターンと比較し、前記流量ｂが異常なガスの使われ方であると判断した場合には弁閉信号ｄを出力する異常流量判定部７と、前記異常流量判定部７の前記弁閉信号ｄを受け取ると弁駆動信号ｅを出力する弁駆動部８と、前記弁駆動部８の前記弁駆動信号ｅを受け取るとガス通路を閉栓する弁とから構成されている。
【特許文献１】特開２００２−３１５５６号公報
【発明の開示】
【発明が解決しようとする課題】
【０００３】
前記従来のガス遮断装置には瞬時流量の表示（流量ｂの値の表示）については開示されているが、流量有無表示（ガスの流れの有無の表示）に関する開示はない。一方、ガスの瞬時流量の表示を行うということは、これにあわせて流量有無表示を行うこともできることになる。
【０００４】
しかしながら、前記従来の構成では大きな流量より小さい流量の方がガス通路内のガス流量ノイズ（例えば、脈動や供給圧変動等の外乱要因により流量のばらつきは、ばらつきの大きさが一意であれば流量が大きいとその比率は小さくなり、流量が小さくなるとその比率は大きくなる。よって平均流量判定値を小さな流量とする場合は影響を受け易くなる）の影響を受け易いので、その影響を排除するために所定期間（例えば３０秒毎）の平均流量を使用することでばらつきの影響を排除し平均流量判定値（例えば、５Ｌ／ｈ）の精度確保を図っていた。このため、ガスの使用開始時とガスの使用終了時に所定期間分の遅れによるズレ（例えば、３０秒）が発生し、ガスが使い始めたのに流量有無表示（パイロット表示）が所定期間経過するまで点灯（点灯時はガスが使われている状態を指す）されなかったり、逆にガスの使用を停止したのに流量有無表示が所定期間経過するまで消灯（消灯時はガスが使われていない状態を指す）しないという課題を有していた。
【０００５】
本発明は、前記従来の課題を解決するもので、流量を連続判定しかつ流量有無の判定値を緩和することで、明らかに流量がある場合またはない場合の判定を短縮することで流量有無表示の追従性を向上する機能を有したガス遮断装置を提供することを目的とする。
【課題を解決するための手段】
【０００６】
前記従来の課題を解決するために、本発明のガス遮断装置は、瞬時流量判定部が流量算出部の流量を連続して複数回判定することで流量表示要求の出力有無を制御するようにし
たものである。
【０００７】
これによって、ガス遮断装置は明らかに流量がある場合またはない場合の判定を短縮することが可能となり、流量有無表示の追従性を向上させることができる。
【発明の効果】
【０００８】
本発明のガス遮断装置は従来の正確な平均流量判定を実施（小さな流量は従来通りに）すると同時に、明らかに流量がある場合またはない場合の判定を実施（大きな流量は速やかに）することが可能となり、流量有無表示の追従性を向上させることができ、利便性と安全性の両立を図ることができる。
【発明を実施するための最良の形態】
【０００９】
第１の発明は、ガス通路内を通過するガス流量に対応して流量信号を出力する流量検出部と、前記流量検出部の前記流量信号を受け取ると流量を算出する流量算出部と、前記流量算出部の前記流量を受け取ると前記流量の値または前記流量を積算した値を表示する流量値表示部と、前記流量算出部の前記流量を受け取ると所定の期間の前記流量を平均して予め保存されている平均流量判定値を超えていれば流量表示要求を出力し、前記平均流量判定値を超えていなければ前記流量表示要求の出力を停止する平均流量判定部と、前記平均流量判定値以上に設定された連続流量有判定値と、前記平均流量判定値以下に設定された連続流量無判定値と、前記流量算出部の前記流量を受け取ると前記流量が予め保持している連続流量有判定値を連続して複数回超えていれば前記流量表示要求を出力し、前記流量が予め保持している連続流量無判定値を連続して複数回下回っていれば前記流量表示要求の出力を停止する瞬時流量判定部と、前記平均流量判定部または前記瞬時流量判定部の前記流量表示要求の出力有無に基づき流量有無表示を行う流量有無表示部とを備えることにより、前記瞬時流量判定部が前記流量を連続判定することで前記平均流量判定部が前記流量表示要求の出力有無を判定する前に前記流量表示要求の出力有無を判断することで前記流量の変化の追従性を向上させることができる。
【００１０】
第２の発明は、流量算出部の流量を受け取ると予め保持している異常流量パターンと比較し、前記流量が異常なガスの使われ方であると判断した場合には弁閉信号を出力する異常流量判定部と、前記異常流量判定部の前記弁閉信号を受け取ると弁駆動信号を出力する弁駆動部と、前記弁駆動部の前記弁駆動信号を受け取るとガス通路を閉栓する弁と、前記異常流量判定部の前記弁閉信号を受け取ると無条件に流量表示要求の出力を停止し、前記流量算出部の前記流量を受け取ると前記流量が予め保持している連続流量有判定値を連続して複数回超えていれば前記流量表示要求を出力し、前記流量が予め保持している連続流量無判定値を連続して複数回下回っていれば前記流量表示要求の出力を停止する瞬時流量判定部とを備えることにより、前記弁によりガス通路が閉栓されると直ぐに流量有無表示を消灯することができる。
【００１１】
以下、本発明の実施の形態について、図面を参照しながら説明する。なお、この実施の形態によって本発明が限定されるものではない。
【００１２】
（実施の形態１）
図１は、本発明の実施の形態１におけるガス遮断装置の機能ブロック図を示すものである。
【００１３】
図１において、流量検出部１１は、ガス通路内を通過するガス流量（例えば、ガス通路内に対向した超音波センサを取り付け超音波の伝播時間の違いからガス流量を検知してもよいし、ガス通路内にガスが流れる経路を作成しガスが経路を流れるときに発生する振動からガス流量を検知しても同様の効果が得られる）に対応して流量信号Ａを出力（例えば、２秒毎に出力する）する。
【００１４】
流量算出部１２は、流量検出部１１の流量信号Ａを受け取ると流量Ｂを算出する。
【００１５】
流量値表示部１３は、流量算出部１２の流量Ｂを受け取ると流量Ｂの値（例えば、２秒毎にガス通路内を流れているガスの瞬時流量）または流量Ｂを積算した値（例えば、ガス遮断装置が計数しているガスの総使用量である指針値）を表示する。
【００１６】
平均流量判定部１４は、流量算出部１２の流量Ｂを受け取ると所定の期間（例えば、３０秒毎）の流量を平均して予め保存されている平均流量判定値（例えば、ガスが流れているのを判断するための値である５Ｌ／ｈ）を超えていれば流量表示要求Ｃを出力し、平均流量判定値を超えていなければ流量表示要求Ｃの出力を停止する。
【００１７】
瞬時流量判定部１６は、流量算出部１２の流量Ｂを受け取ると流量Ｂが予め保持している連続流量有判定値（例えば、一般的なガス器具のガス使用量である１００Ｌ／ｈとすることで、明らかにガスが使われていることを判定する）を連続して複数回（例えば、ガス通路内のノイズを排除するために、２秒毎に出力される流量Ｂを５回連続して判定することで、３０秒掛かっていた時間を１０秒に短縮し追従性を向上させる）超えていれば流量表示要求Ｃを出力し、流量Ｂが予め保持している連続流量無判定値（例えば、ガス通路内のガス流量が１Ｌ／ｈ未満とすることで、明らかに流量がないことを判定する）を連続して複数回（例えば、ガス通路内のノイズを排除するために、２秒毎に出力される流量Ｂを５回連続して判定することで、３０秒掛かっていた時間を１０秒に短縮し追従性を向上させる）下回っていれば流量表示要求Ｃの出力を停止する。
【００１８】
流量有無表示部１５は、平均流量判定部１４または瞬時流量判定部１６の流量表示要求Ｃの出力有無に基づき流量有無表示（例えば、ＬＣＤやＬＥＤを使用し流量が有る時には点灯し、流量が無い時には消灯しても良いし、点灯の変わりにガス遮断装置を駆動している電池の消耗を抑えるために流量が有る時には点滅表示しても同等の効果を得ることができる）を行う。
【００１９】
以上のように、本実施の形態においては瞬時流量判定部１６で流量算出部１２の流量Ｂを連続して複数回判定することで流量表示要求Ｃの出力有無を短時間で制御することができる。
【００２０】
（実施の形態２）
図１は、本発明の実施の形態２におけるガス遮断装置の機能ブロック図を示すものである。なお、実施の形態１と同一の記号のものは同一の機能のため説明を省略する。
【００２１】
図１において、異常流量判定部１７は流量算出部１２の流量Ｂを受け取ると予め保持している異常流量パターン（例えば、ガス管が折れ大量のガスが流失しているような流量の値である１０ｍ３／ｈでもよいし、流量の大きさに基づいた連続してガスの使用を許可している時間（例えば、１００Ｌ／ｈは１２時間）で判断してもよい）と比較し、流量Ｂが異常なガスの使われ方であると判断した場合には弁閉信号Ｄを出力する。
【００２２】
弁駆動部１８は、異常流量判定部１７の弁閉信号Ｄを受け取ると弁駆動信号Ｅを出力する。弁１９は弁駆動部１８の弁駆動信号Ｅを受け取るとガス通路を閉栓する。
【００２３】
瞬時流量判定部１６は異常流量判定部１７の弁閉信号Ｄを受け取ると無条件に流量表示要求Ｃの出力を停止し、流量算出部１２の流量Ｂを受け取ると流量Ｂが予め保持している連続流量有判定値（例えば、一般的なガス器具のガス使用量である１００Ｌ／ｈとすることで、明らかにガスが使われていることを判定する）を連続して複数回（例えば、ガス通
路内のノイズを排除するために、２秒毎に出力される流量Ｂを５回連続して判定することで、３０秒掛かっていた時間を１０秒に短縮し追従性を向上させる）超えていれば流量表示要求Ｃを出力し、流量Ｂが予め保持している連続流量無判定値（例えば、ガス通路内のガス流量が１Ｌ／ｈ未満とすることで、明らかに流量がないことを判定する）を連続して複数回（例えば、ガス通路内のノイズを排除するために、２秒毎に出力される流量Ｂを５回連続して判定することで、３０秒掛かっていた時間を１０秒に短縮し追従性を向上させる）下回っていれば流量表示要求Ｃの出力を停止する。
【００２４】
以上のように、本実施の形態においては瞬時流量判定部１６は異常流量判定部１７の弁閉信号Ｄを受け取ると無条件に流量表示要求Ｃの出力を停止することで、ガス通路が閉栓され明らかにガスが流れない状態になった場合に速やかに流量有無表示を消灯することで追従性をさらに向上させることができる。
【００２５】
実施の形態１〜２おいてガス遮断装置が短時間で流量有無を判定することができるようになることで、流量有無表示の追従性を向上させることが可能となり、ガス利用者がガスを使っていない（ガスを止めた、あるいはガス通路が閉栓した）のに流量有無表示が点灯しているためにガスが使われていると誤解することを防止（例えば、ガス通路が遮断したならば即時に消灯し、ガスの使用を停止したならば１０秒で流量有無表示が消灯するのでガスコンロ等のガス器具の使用を止めて走ってガス遮断装置の表示を確認しに行くようなことがない限りは、流量有無表示が表示されていることを見ることはない）しすることができる。
【００２６】
なお、連続流量有判定値と連続流量無判定値を連続して複数回判定する回数を８回にすると追従性が損なわれる反面、一旦瞬時流量判定部により流量有無表示が開始されたあとに流量が１Ｌ／ｈ未満が成立し流量有無表示が消灯し、再び平均流量判定で流量有無表示が開始（本例では、平均値が５０Ｌ／ｈとなるため）されることを防止でき、連続した表示を実施することができる。
【産業上の利用可能性】
【００２７】
以上のように、本発明にかかるガス遮断装置は従来の平均流量判定と合わせて、短時間での流量有無表示の制御が可能になることで、流量有無表示の追従性が向上できることになり、安全性を確保して利便性を向上させることができるのでガスを電気や水等に置き換えれば、外付けセンサを有する電気メータや水道メータ等の用途にも適用できる。
【図面の簡単な説明】
【００２８】
【図１】本発明の実施の形態１、２におけるガス遮断装置の機能ブロック図
【図２】従来のガス遮断装置の機能ブロック図
【符号の説明】
【００２９】
１１  流量検出部
１２  流量算出部
１３  流量値表示部
１４  平均流量判定部
１５  流量有無表示部
１６  瞬時流量判定部
１７  異常流量判定部
１８  弁駆動部
１９  弁
【図１】
0004978569.tif 000002
【図２】
0004978569.tif 000003